(57)【特許請求の範囲】
【請求項１】
コースター平面形状に打ち抜かれた吸水性を有する紙又は不織布製の表面側コースター部材と裏面側コースター部材が加熱溶融状態にある接合溶融樹脂材を介して貼り合わされ、前記接合溶融樹脂材が常温冷却で接合樹脂部材に固形化されることによって貼り合わされた両コースター部材を該接合樹脂部材を介して接着して構成したコースターにおいて、このコースターの全体を前記接合溶融樹脂材が常温冷却で接合樹脂部材に固形化される過程で該コースターの表面側が突出し裏面側が凹むように一方向に円弧状に反った湾曲形状に成形し、よって、前記表面側コースター部材と裏面側コースター部材が固形化された前記接合樹脂部材を介して接着され、且つこのコースターの全体を該コースターの表面側が突出し裏面側が凹むように一方向に円弧状に反った湾曲形状に形成したコースターに、該コースターの湾曲形状と実質的に同じ湾曲形状に固形化された前記接合樹脂部材の弾性によって、該コースターの表面側にコップ類を載せればその重さで該コースターは湾曲形状から平らな形状に弾性変形し、コップ類を持ち上げて該コースターの表面側に加えられるコップ類の重さを取り除けば該コースターは平らな形状から元の湾曲形状に該コースターの自力反発力で戻る、弾性力を付与したことを特徴とするコースター。
【請求項２】
コースター平面形状に打ち抜かれた吸水性を有する紙又は不織布製の表面側コースター部材と裏面側コースター部材が少なくとも一方のコースター部材の貼り合せ面に一方向に延びる互いに離間した複数の筋条又は帯条にして塗工された加熱溶融状態にある接合溶融樹脂材を介して貼り合わされ、前記接合溶融樹脂材が常温冷却で接合樹脂部材に固形化されることによって貼り合わされた両コースター部材を該接合樹脂部材を介して接着して構成したコースターにおいて、このコースターの全体を前記接合溶融樹脂材が常温冷却で接合樹脂部材に固形化される過程で該コースターの表面側が突出し裏面側が凹むように前記接合溶融樹脂材の塗工方向と同方向の一方向に円弧状に反った湾曲形状に成形し、よって、前記表面側コースター部材と裏面側コースター部材が一方向に延びる互いに離間した複数の筋条又は帯条の固形化された前記接合樹脂部材を介して接着され、且つこのコースターの全体を該コースターの表面側が突出し裏面側が凹むように前記接合樹脂部材の延び方向と同方向の一方向に円弧状に反った湾曲形状に形成したコースターに、該コースターの湾曲形状と実質的に同じ湾曲形状に固形化された前記接合樹脂部材の弾性によって、該コースターの表面側にコップ類を載せればその重さで該コースターは湾曲形状から平らな形状に弾性変形し、コップ類を持ち上げて該コースターの表面側に加えられるコップ類の重さを取り除けば該コースターは平らな形状から元の湾曲形状に該コースターの自力反発力で戻る、弾性力を付与したことを特徴とするコースター。
【請求項３】
コースター平面形状に打ち抜かれた吸水性を有する紙又は不織布製の表面側コースター部材と裏面側コースター部材が少なくとも一方のコースター部材の貼り合せ面に一方向に延びる互いに離間した複数の筋条又は帯条にして塗工された加熱溶融状態にある接合溶融樹脂材を介して貼り合わされると共に、前記表面側コースター部材の表面側又は前記裏面側コースター部材の裏面側に加熱溶融状態にある補強溶融樹脂材が前記接合溶融樹脂材の塗工方向と同方向に筋条に延びる互いに離間した複数の凸条にして塗工され、これらの溶融樹脂材が常温冷却で固形化されることによって、貼り合わされた両コースター部材を前記接合溶融樹脂材が固形化された接合樹脂部材を介して接着すると共に、前記表面側コースター部材の表面側又は前記裏面側コースター部材の裏面側に固形化された前記補強溶融樹脂材から成る複数の凸条の補強樹脂部材を接着したコースターにおいて、このコースターの全体を前記溶融樹脂材が固形化される過程で該コースターの表面側が突出し裏面側が凹むように前記溶融樹脂材の塗工方向と同方向の一方向に円弧状に反った湾曲形状に成形し、よって、前記表面側コースター部材と裏面側コースター部材が一方向に延びる互いに離間した複数の筋条又は帯条の固形化された前記接合樹脂部材を介して接着されると共に、前記表面側コースター部材の表面側又は前記裏面側コースター部材の裏面側に前記接合樹脂部材の形成方向と同方向に延びる互いに離間した複数の凸条の固形化された補強樹脂部材が接着形成され、且つこのコースターの全体を該コースターの表面側が突出し裏面側が凹むように前記接合樹脂部材及び補強樹脂部材の延び方向と同方向の一方向に円弧状に反った湾曲形状に形成したコースターに、該コースターの湾曲形状と実質的に同じ湾曲形状に固形化された前記接合樹脂部材及び補強樹脂部材の弾性によって、該コースターの表面側にコップ類を載せればその重さで該コースターは湾曲形状から平らな形状に弾性変形し、コップ類を持ち上げて該コースターの表面側に加えられるコップ類の重さを取り除けば該コースターは平らな形状から元の湾曲形状に該コースターの自力反発力で戻る、弾性力を付与したことを特徴とするコースター。
【請求項４】
コースター平面形状に打ち抜かれた吸水性を有する紙又は不織布製の表面側コースター部材と裏面側コースター部材が少なくとも一方のコースター部材の貼り合せ面に一方向に延びる互いに離間した複数の筋条又は帯条にして塗工された加熱溶融状態にある接合溶融樹脂材を介して貼り合わされると共に、前記裏面側コースター部材の裏面側の全面に加熱溶融状態にある裏面溶融樹脂材が塗工され、これらの溶融樹脂材が常温冷却で固形化されることによって、貼り合わされた両コースター部材を前記接合溶融樹脂材が固形化された接合樹脂部材を介して接着すると共に、前記裏面側コースター部材の裏面側の全面に固形化された前記裏面溶融樹脂材から成る裏面樹脂層を積層接着したコースターにおいて、このコースターの全体を前記溶融樹脂材が固形化される過程で該コースターの表面側が突出し裏面側が凹むように前記接合溶融樹脂材の塗工方向と同方向の一方向に円弧状に反った湾曲形状に成形し、よって、前記表面側コースター部材と裏面側コースター部材が一方向に延びる互いに離間した複数の筋条又は帯条の固形化された前記接合樹脂部材を介して接着されると共に、前記裏面側コースター部材の裏面側の全面に固形化された前記裏面樹脂層が積層接着され、且つこのコースターの全体を該コースターの表面側が突出し裏面側が凹むように前記接合樹脂部材の延び方向と同方向の一方向に円弧状に反った湾曲形状に形成したコースターに、該コースターの湾曲形状と実質的に同じ湾曲形状に固形化された前記接合樹脂部材及び裏面樹脂層の弾性によって、該コースターの表面側にコップ類を載せればその重さで該コースターは湾曲形状から平らな形状に弾性変形し、コップ類を持ち上げて該コースターの表面側に加えられるコップ類の重さを取り除けば該コースターは平らな形状から元の湾曲形状に該コースターの自力反発力で戻る、弾性力を付与したことを特徴とするコースター。
【請求項５】
コースター平面形状に打ち抜かれた吸水性を有する紙又は不織布製の表面側コースター部材と裏面側コースター部材が少なくとも一方のコースター部材の貼り合せ面に一方向に延びる互いに離間した複数の筋条又は帯条にして塗工された加熱溶融状態にある接合溶融樹脂材を介して貼り合わされると共に、前記表面側コースター部材の表面側に加熱溶融状態にある補強溶融樹脂材が前記接合溶融樹脂材の塗工方向と同方向に筋条に延びる互いに離間した複数の凸条にして塗工され、前記裏面側コースター部材の裏面側の全面に加熱溶融状態にある裏面溶融樹脂材が塗工され、これらの溶融樹脂材が常温冷却で固形化されることによって、貼り合わされた両コースター部材を前記接合溶融樹脂材が固形化された接合樹脂部材を介して接着すると共に、前記表面側コースター部材の表面側に固形化された前記補強溶融樹脂材から成る複数の凸条の補強樹脂部材を接着し、前記裏面側コースター部材の裏面側の全面に固形化された前記裏面溶融樹脂材から成る裏面樹脂層を積層接着したコースターにおいて、このコースターの全体を前記溶融樹脂材が固形化される過程で該コースターの表面側が突出し裏面側が凹むように前記溶融樹脂材の塗工方向と同方向の一方向に円弧状に反った湾曲形状に成形し、よって、前記表面側コースター部材と裏面側コースター部材が一方向に延びる互いに離間した複数の筋条又は帯条の固形化された前記接合樹脂部材を介して接着されると共に、前記表面側コースター部材の表面側に前記接合樹脂部材の形成方向と同方向に延びる互いに離間した複数の凸条の固形化された補強樹脂部材が接着形成され、前記裏面側コースター部材の裏面側の全面に固形化された前記裏面樹脂層が積層接着され、且つこのコースターの全体を該コースターの表面側が突出し裏面側が凹むように前記接合樹脂部材及び補強樹脂部材の延び方向と同方向の一方向に円弧状に反った湾曲形状に形成したコースターに、該コースターの湾曲形状と実質的に同じ湾曲形状に固形化された前記接合樹脂部材、前記補強樹脂部材及び前記裏面樹脂層の弾性によって、該コースターの表面側にコップ類を載せればその重さで該コースターは湾曲形状から平らな形状に弾性変形し、コップ類を持ち上げて該コースターの表面側に加えられるコップ類の重さを取り除けば該コースターは平らな形状から元の湾曲形状に該コースターの自力反発力で戻る、弾性力を付与したことを特徴とするコースター。
【請求項６】
コースター平面形状に打ち抜かれた吸水性を有する紙又は不織布製のコースター部材の裏面側の全面に加熱溶融状態にある裏面溶融樹脂材が塗工され、該裏面溶融樹脂材が常温冷却で固形化されることによって、前記コースター部材の裏面側の全面に固形化された前記裏面溶融樹脂材から成る裏面樹脂層を積層接着したコースターにおいて、このコースターの全体を前記溶融樹脂材が固形化される過程で該コースターの表面側が突出し裏面側が凹むように一方向に円弧状に反った湾曲形状に成形し、よって、前記コースター部材の裏面側の全面に固形化された前記裏面樹脂層が接着形成され、且つこのコースターの全体を該コースターの表面側が突出し裏面側が凹むように一方向に円弧状に反った湾曲形状に形成したコースターに、該コースターの湾曲形状と実質的に同じ湾曲形状に固形化された前記裏面樹脂層の弾性によって、該コースターの表面側にコップ類を載せればその重さで該コースターは湾曲形状から平らな形状に弾性変形し、コップ類を持ち上げて該コースターの表面側に加えられるコップ類の重さを取り除けば該コースターは平らな形状から元の湾曲形状に該コースターの自力反発力で戻る、弾性力を付与したことを特徴とするコースター。
【請求項７】
コースター平面形状に打ち抜かれた吸水性を有する紙又は不織布製のコースター部材の表面側又は裏面側に加熱溶融状態にある補強溶融樹脂材が一方向に筋条に延びる互いに離間した複数の凸条にして塗工され、該補強溶融樹脂材が常温冷却で固形化されることによって、前記コースター部材の表面側又は裏面側に固形化された前記補強溶融樹脂材から成る複数の凸条の補強樹脂部材を接着したコースターにおいて、このコースターの全体を前記補強溶融樹脂材が固形化される過程で該コースターの表面側が突出し裏面側が凹むように前記補強溶融樹脂材の塗工方向と同方向の一方向に円弧状に反った湾曲形状に成形し、よって、前記コースター部材の表面側又は裏面側に互いに離間した複数の凸条の固形化された前記補強樹脂部材が接着形成され、且つこのコースターの全体を該コースターの表面側が突出し裏面側が凹むように前記補強樹脂部材の延び方向と同方向の一方向に円弧状に反った湾曲形状に形成したコースターに、該コースターの湾曲形状と実質的に同じ湾曲形状に固形化された前記補強樹脂部材の弾性によって、該コースターの表面側にコップ類を載せればその重さで該コースターは湾曲形状から平らな形状に弾性変形し、コップ類を持ち上げて該コースターの表面側に加えられるコップ類の重さを取り除けば該コースターは平らな形状から元の湾曲形状に該コースターの自力反発力で戻る、弾性力を付与したことを特徴とするコースター。
【請求項８】
コースター平面形状に打ち抜かれた吸水性を有する紙又は不織布製のコースター部材の表面側に加熱溶融状態にある補強溶融樹脂材が一方向に筋条に延びる互いに離間した複数の凸条にして塗工されると共に、前記コースター部材の裏面側の全面に加熱溶融状態にある裏面溶融樹脂材が塗工され、これらの溶融樹脂材が常温冷却で固形化されることによって、前記コースター部材の表面側に固形化された前記補強溶融樹脂材から成る複数の凸条の補強樹脂部材を接着すると共に、前記コースター部材の裏面側の全面に固形化された前記裏面溶融樹脂材から成る裏面樹脂層を積層接着したコースターにおいて、このコースターの全体を前記補強溶融樹脂材及び前記裏面溶融樹脂材が固形化される過程で該コースターの表面側が突出し裏面側が凹むように前記補強溶融樹脂材の塗工方向と同方向の一方向に円弧状に反った湾曲形状に成形し、よって、前記コースター部材の表面側に互いに離間した複数の凸条の固形化された前記補強樹脂部材が接着形成されると共に、前記コースター部材の裏面側の全面に固形化された前記裏面樹脂層が積層接着され、且つこのコースターの全体を該コースターの表面側が突出し裏面側が凹むように前記補強樹脂部材の延び方向と同方向の一方向に円弧状に反った湾曲形状に形成したコースターに、該コースターの湾曲形状と実質的に同じ湾曲形状に固形化された前記補強樹脂部材及び前記裏面樹脂層の弾性によって、該コースターの表面側にコップ類を載せればその重さで該コースターは湾曲形状から平らな形状に弾性変形し、コップ類を持ち上げて該コースターの表面側に加えられるコップ類の重さを取り除けば該コースターは平らな形状から元の湾曲形状に該コースターの自力反発力で戻る、弾性力を付与したことを特徴とするコースター。
【発明の詳細な説明】
【技術分野】
【０００１】
本発明は、コップ類の下に敷くコースターに係り、紙類を主材とした軽量なものであっても、持ち上げたコップ類の底部にくっつかないようにしたコースターに関する。
【背景技術】
【０００２】
飲料を入れたコップ類の下に敷くコースターが使用されている。このコースターの使用目的は、コップ類の外表面に付着した水滴や氷入り飲料などの冷たい飲料を入れたコップ類の外表面に結露した水滴が、コップ類の外表面から流下し、流下した水滴でテーブル面やテーブル面上に敷いたテーブルクロス等のマット類が濡れないようにすることである。その他、コースターには、コップ類をテーブル面に置く際の衝撃をやわらげる緩衝材としての役割も要求されている。
【０００３】
このコースターの材質としては、紙製、木製、布製、ゴム製、樹脂製などいろいろあるが、飲食店などで使用する業務用のコースターとしては、コースター表面への印刷加工が容易、任意のコースター形状への成形加工が容易、コスト的にも比較的安価であることから、紙製のコースターが広く使用されている。
【０００４】
紙製のコースターは、吸水性を有する紙材でコースターを成形し、コップ類の外表面から流下した水滴をコースター表面で吸収するようにしている。しかし、敷いたコースターからコップ類を持ち上げる際に、コップ底面に付着した水滴やコップ類の外表面からコースター表面に流下した水滴を介して持ち上げたコップ類の底面にコースターの表面が密着し、コースターが持ち上げたコップ類の底部にくっついて一緒に持ち上がってしまう弊害があった。特に、紙製のコースターは、コースター自体の重さが軽いため、持ち上げたコップ類の底部との密着度がそれほど強くなくても、この持ち上がり弊害が発生し易いものであった。
【０００５】
また、一般的に使用されている扁平な紙製コースターでは、コップ類を置く際の衝撃をやわらげる緩衝性能が劣るものであった。
【０００６】
持ち上げたコップ類の底部にくっついて一緒に持ち上がってしまう弊害を解決しようとするコースターとしては、コースターの底面を凹部に形成し、このコースター底面をテーブル面に吸着する吸盤としての機能を与えたものが公知である（特許文献１）。しかし、コースターの凹部底面に吸盤機能を与えた公知のコースターでは、コースターの材質がゴムなど吸盤としての機能を発揮し易いものに限定される欠点があり、しかも、テーブル面が鏡面状であれば、吸盤機能を発揮しやすいが、テーブル面上に粗い繊維素材の布製のテーブルクロス等のマット類を敷いた場合には、吸盤機能を期待できない致命的な欠点がある。
【０００７】
【特許文献１】特開２０００−３４２４２４号公報
【発明の開示】
【発明が解決しようとする課題】
【０００８】
本発明は、このような実情に鑑み、紙類を主材とした軽量の紙製コースターにおいて、コースター上にコップ類を置く際には、コップ類を安定して載置でき、敷いたコースターからコップを持ち上げる際には、持ち上げたコップ類の底部にくっつかず、持ち上げたコップ類と一緒に持ち上がってしまう弊害を解消できる、コースターを提供しようとするものである。しかも、コースターの底面側に吸盤機能を与えた公知のコースターとは異なり、係る目的を、コースターを置くテーブル面の粗さやテーブルクロス等のマット類の素材に関係なく達成できる、コースターを提供しようとするものである。
【０００９】
また、本発明は、コップ類をコースター上に置く際の衝撃をやわらげる緩衝性能に優れたコースターを提供しようとするものである。
【課題を解決するための手段】
【００１０】
上記した課題を解決するため、本発明は、コースター平面形状に打ち抜かれた吸水性を有する紙又は不織布製の表面側コースター部材と裏面側コースター部材が加熱溶融状態にある接合溶融樹脂材を介して貼り合わされ、前記接合溶融樹脂材が常温冷却で接合樹脂部材に固形化されることによって貼り合わされた両コースター部材を該接合樹脂部材を介して接着して構成したコースターにおいて、このコースターの全体を前記接合溶融樹脂材が常温冷却で接合樹脂部材に固形化される過程で該コースターの表面側が突出し裏面側が凹むように一方向に円弧状に反った湾曲形状に成形し、よって、前記表面側コースター部材と裏面側コースター部材が固形化された前記接合樹脂部材を介して接着され、且つこのコースターの全体を該コースターの表面側が突出し裏面側が凹むように一方向に円弧状に反った湾曲形状に形成したコースターに、該コースターの湾曲形状と実質的に同じ湾曲形状に固形化された前記接合樹脂部材の弾性によって、該コースターの表面側にコップ類を載せればその重さで該コースターは湾曲形状から平らな形状に弾性変形し、コップ類を持ち上げて該コースターの表面側に加えられるコップ類の重さを取り除けば該コースターは平らな形状から元の湾曲形状に該コースターの自力反発力で瞬時に戻る、弾性力を付与したことを特徴とするコースターを提供する。
【００１１】
また、上記した課題を解決するため、本発明は、コースター平面形状に打ち抜かれた吸水性を有する紙又は不織布製の表面側コースター部材と裏面側コースター部材が少なくとも一方のコースター部材の貼り合せ面に一方向に延びる互いに離間した複数の筋条又は帯条にして塗工された加熱溶融状態にある接合溶融樹脂材を介して貼り合わされ、前記接合溶融樹脂材が常温冷却で接合樹脂部材に固形化されることによって貼り合わされた両コースター部材を該接合樹脂部材を介して接着して構成したコースターにおいて、このコースターの全体を前記接合溶融樹脂材が常温冷却で接合樹脂部材に固形化される過程で該コースターの表面側が突出し裏面側が凹むように前記接合溶融樹脂材の塗工方向と同方向の一方向に円弧状に反った湾曲形状に成形し、よって、前記表面側コースター部材と裏面側コースター部材が一方向に延びる互いに離間した複数の筋条又は帯条の固形化された前記接合樹脂部材を介して接着され、且つこのコースターの全体を該コースターの表面側が突出し裏面側が凹むように前記接合樹脂部材の延び方向と同方向の一方向に円弧状に反った湾曲形状に形成したコースターに、該コースターの湾曲形状と実質的に同じ湾曲形状に固形化された前記接合樹脂部材の弾性によって、該コースターの表面側にコップ類を載せればその重さで該コースターは湾曲形状から平らな形状に弾性変形し、コップ類を持ち上げて該コースターの表面側に加えられるコップ類の重さを取り除けば該コースターは平らな形状から元の湾曲形状に該コースターの自力反発力で瞬時に戻る、弾性力を付与したことを特徴とするコースターを提供する。
【００１２】
また、上記した課題を解決するため、本発明は、コースター平面形状に打ち抜かれた吸水性を有する紙又は不織布製の表面側コースター部材と裏面側コースター部材が少なくとも一方のコースター部材の貼り合せ面に一方向に延びる互いに離間した複数の筋条又は帯条にして塗工された加熱溶融状態にある接合溶融樹脂材を介して貼り合わされると共に、前記表面側コースター部材の表面側（貼り合せ面の反対面側）又は前記裏面側コースター部材の裏面側（貼り合せ面の反対面側）に加熱溶融状態にある補強溶融樹脂材が前記接合溶融樹脂材の塗工方向と同方向に筋条に延びる互いに離間した複数の凸条にして塗工され、これらの溶融樹脂材が常温冷却で固形化されることによって、貼り合わされた両コースター部材を前記接合溶融樹脂材が固形化された接合樹脂部材を介して接着すると共に、前記表面側コースター部材の表面側又は前記裏面側コースター部材の裏面側に固形化された前記補強溶融樹脂材から成る複数の凸条の補強樹脂部材を接着したコースターにおいて、このコースターの全体を前記溶融樹脂材が固形化される過程で該コースターの表面側が突出し裏面側が凹むように前記溶融樹脂材の塗工方向と同方向の一方向に円弧状に反った湾曲形状に成形し、よって、前記表面側コースター部材と裏面側コースター部材が一方向に延びる互いに離間した複数の筋条又は帯条の固形化された前記接合樹脂部材を介して接着されると共に、前記表面側コースター部材の表面側又は前記裏面側コースター部材の裏面側に前記接合樹脂部材の形成方向と同方向に延びる互いに離間した複数の凸条の固形化された補強樹脂部材が接着形成され、且つこのコースターの全体を該コースターの表面側が突出し裏面側が凹むように前記接合樹脂部材及び補強樹脂部材の延び方向と同方向の一方向に円弧状に反った湾曲形状に形成したコースターに、該コースターの湾曲形状と実質的に同じ湾曲形状に固形化された前記接合樹脂部材及び補強樹脂部材の弾性によって、該コースターの表面側にコップ類を載せればその重さで該コースターは湾曲形状から平らな形状に弾性変形し、コップ類を持ち上げて該コースターの表面側に加えられるコップ類の重さを取り除けば該コースターは平らな形状から元の湾曲形状に該コースターの自力反発力で瞬時に戻る、弾性力を付与したことを特徴とするコースターを提供する。
【００１３】
また、上記した課題を解決するため、本発明は、コースター平面形状に打ち抜かれた吸水性を有する紙又は不織布製の表面側コースター部材と裏面側コースター部材が少なくとも一方のコースター部材の貼り合せ面に一方向に延びる互いに離間した複数の筋条又は帯条にして塗工された加熱溶融状態にある接合溶融樹脂材を介して貼り合わされると共に、前記裏面側コースター部材の裏面側（貼り合せ面の反対面側）の全面に加熱溶融状態にある裏面溶融樹脂材が塗工され、これらの溶融樹脂材が常温冷却で固形化されることによって、貼り合わされた両コースター部材を前記接合溶融樹脂材が固形化された接合樹脂部材を介して接着すると共に、前記裏面側コースター部材の裏面側の全面に固形化された前記裏面溶融樹脂材から成る裏面樹脂層を積層接着したコースターにおいて、このコースターの全体を前記溶融樹脂材が固形化される過程で該コースターの表面側が突出し裏面側が凹むように前記接合溶融樹脂材の塗工方向と同方向の一方向に円弧状に反った湾曲形状に成形し、よって、前記表面側コースター部材と裏面側コースター部材が一方向に延びる互いに離間した複数の筋条又は帯条の固形化された前記接合樹脂部材を介して接着されると共に、前記裏面側コースター部材の裏面側の全面に固形化された前記裏面樹脂層が積層接着され、且つこのコースターの全体を該コースターの表面側が突出し裏面側が凹むように前記接合樹脂部材の延び方向と同方向の一方向に円弧状に反った湾曲形状に形成したコースターに、該コースターの湾曲形状と実質的に同じ湾曲形状に固形化された前記接合樹脂部材及び裏面樹脂層の弾性によって、該コースターの表面側にコップ類を載せればその重さで該コースターは湾曲形状から平らな形状に弾性変形し、コップ類を持ち上げて該コースターの表面側に加えられるコップ類の重さを取り除けば該コースターは平らな形状から元の湾曲形状に該コースターの自力反発力で瞬時に戻る、弾性力を付与したことを特徴とするコースターを提供する。
【００１４】
また、上記した課題を解決するため、本発明は、コースター平面形状に打ち抜かれた吸水性を有する紙又は不織布製の表面側コースター部材と裏面側コースター部材が少なくとも一方のコースター部材の貼り合せ面に一方向に延びる互いに離間した複数の筋条又は帯条にして塗工された加熱溶融状態にある接合溶融樹脂材を介して貼り合わされると共に、前記表面側コースター部材の表面側（貼り合せ面の反対面側）に加熱溶融状態にある補強溶融樹脂材が前記接合溶融樹脂材の塗工方向と同方向に筋条に延びる互いに離間した複数の凸条にして塗工され、前記裏面側コースター部材の裏面側（貼り合せ面の反対面側）の全面に加熱溶融状態にある裏面溶融樹脂材が塗工され、これらの溶融樹脂材が常温冷却で固形化されることによって、貼り合わされた両コースター部材を前記接合溶融樹脂材が固形化された接合樹脂部材を介して接着すると共に、前記表面側コースター部材の表面側に固形化された前記補強溶融樹脂材から成る複数の凸条の補強樹脂部材を接着し、前記裏面側コースター部材の裏面側の全面に固形化された前記裏面溶融樹脂材から成る裏面樹脂層を積層接着したコースターにおいて、このコースターの全体を前記溶融樹脂材が固形化される過程で該コースターの表面側が突出し裏面側が凹むように前記溶融樹脂材の塗工方向と同方向の一方向に円弧状に反った湾曲形状に成形し、よって、前記表面側コースター部材と裏面側コースター部材が一方向に延びる互いに離間した複数の筋条又は帯条の固形化された前記接合樹脂部材を介して接着されると共に、前記表面側コースター部材の表面側に前記接合樹脂部材の形成方向と同方向に延びる互いに離間した複数の凸条の固形化された補強樹脂部材が接着形成され、前記裏面側コースター部材の裏面側の全面に固形化された前記裏面樹脂層が積層接着され、且つこのコースターの全体を該コースターの表面側が突出し裏面側が凹むように前記接合樹脂部材及び補強樹脂部材の延び方向と同方向の一方向に円弧状に反った湾曲形状に形成したコースターに、該コースターの湾曲形状と実質的に同じ湾曲形状に固形化された前記接合樹脂部材、前記補強樹脂部材及び前記裏面樹脂層の弾性によって、該コースターの表面側にコップ類を載せればその重さで該コースターは湾曲形状から平らな形状に弾性変形し、コップ類を持ち上げて該コースターの表面側に加えられるコップ類の重さを取り除けば該コースターは平らな形状から元の湾曲形状に該コースターの自力反発力で瞬時に戻る、弾性力を付与したことを特徴とするコースターを提供する。
【００１５】
また、上記した課題を解決するため、本発明は、コースター平面形状に打ち抜かれた吸水性を有する紙又は不織布製のコースター部材の裏面側の全面に加熱溶融状態にある裏面溶融樹脂材が塗工され、該裏面溶融樹脂材が常温冷却で固形化されることによって、前記コースター部材の裏面側の全面に固形化された前記裏面溶融樹脂材から成る裏面樹脂層を積層接着したコースターにおいて、このコースターの全体を前記溶融樹脂材が固形化される過程で該コースターの表面側が突出し裏面側が凹むように一方向に円弧状に反った湾曲形状に成形し、よって、前記コースター部材の裏面側の全面に固形化された前記裏面樹脂層が接着形成され、且つこのコースターの全体を該コースターの表面側が突出し裏面側が凹むように一方向に円弧状に反った湾曲形状に形成したコースターに、該コースターの湾曲形状と実質的に同じ湾曲形状に固形化された前記裏面樹脂層の弾性によって、該コースターの表面側にコップ類を載せればその重さで該コースターは湾曲形状から平らな形状に弾性変形し、コップ類を持ち上げて該コースターの表面側に加えられるコップ類の重さを取り除けば該コースターは平らな形状から元の湾曲形状に該コースターの自力反発力で瞬時に戻る、弾性力を付与したことを特徴とするコースターを提供する。
【００１６】
また、上記した課題を解決するため、本発明は、コースター平面形状に打ち抜かれた吸水性を有する紙又は不織布製のコースター部材の表面側又は裏面側に加熱溶融状態にある補強溶融樹脂材が一方向に筋条に延びる互いに離間した複数の凸条にして塗工され、該補強溶融樹脂材が常温冷却で固形化されることによって、前記コースター部材の表面側又は裏面側に固形化された前記補強溶融樹脂材から成る複数の凸条の補強樹脂部材を接着したコースターにおいて、このコースターの全体を前記補強溶融樹脂材が固形化される過程で該コースターの表面側が突出し裏面側が凹むように前記補強溶融樹脂材の塗工方向と同方向の一方向に円弧状に反った湾曲形状に成形し、よって、前記コースター部材の表面側又は裏面側に互いに離間した複数の凸条の固形化された前記補強樹脂部材が接着形成され、且つこのコースターの全体を該コースターの表面側が突出し裏面側が凹むように前記補強樹脂部材の延び方向と同方向の一方向に円弧状に反った湾曲形状に形成したコースターに、該コースターの湾曲形状と実質的に同じ湾曲形状に固形化された前記補強樹脂部材の弾性によって、該コースターの表面側にコップ類を載せればその重さで該コースターは湾曲形状から平らな形状に弾性変形し、コップ類を持ち上げて該コースターの表面側に加えられるコップ類の重さを取り除けば該コースターは平らな形状から元の湾曲形状に該コースターの自力反発力で瞬時に戻る、弾性力を付与したことを特徴とするコースターを提供する。
【００１７】
また、上記した課題を解決するため、本発明は、コースター平面形状に打ち抜かれた吸水性を有する紙又は不織布製のコースター部材の表面側に加熱溶融状態にある補強溶融樹脂材が一方向に筋条に延びる互いに離間した複数の凸条にして塗工されると共に、前記コースター部材の裏面側の全面に加熱溶融状態にある裏面溶融樹脂材が塗工され、これらの溶融樹脂材が常温冷却で固形化されることによって、前記コースター部材の表面側に固形化された前記補強溶融樹脂材から成る複数の凸条の補強樹脂部材を接着すると共に、前記コースター部材の裏面側の全面に固形化された前記裏面溶融樹脂材から成る裏面樹脂層を積層接着したコースターにおいて、このコースターの全体を前記補強溶融樹脂材及び前記裏面溶融樹脂材が固形化される過程で該コースターの表面側が突出し裏面側が凹むように前記補強溶融樹脂材の塗工方向と同方向の一方向に円弧状に反った湾曲形状に成形し、よって、前記コースター部材の表面側に互いに離間した複数の凸条の固形化された前記補強樹脂部材が接着形成されると共に、前記コースター部材の裏面側の全面に固形化された前記裏面樹脂層が積層接着され、且つこのコースターの全体を該コースターの表面側が突出し裏面側が凹むように前記補強樹脂部材の延び方向と同方向の一方向に円弧状に反った湾曲形状に形成したコースターに、該コースターの湾曲形状と実質的に同じ湾曲形状に固形化された前記補強樹脂部材及び前記裏面樹脂層の弾性によって、該コースターの表面側にコップ類を載せればその重さで該コースターは湾曲形状から平らな形状に弾性変形し、コップ類を持ち上げて該コースターの表面側に加えられるコップ類の重さを取り除けば該コースターは平らな形状から元の湾曲形状に該コースターの自力反発力で瞬時に戻る、弾性力を付与したことを特徴とするコースターを提供する。
【発明の効果】
【００１８】
本発明のコースターによれば、コースターの全体を該コースターの表面側が突出し裏面側が凹むように一方向に円弧状に反った湾曲形状に形成し、このコースターに該コースターの表面側にコップ類を載せればその重さで該コースターは湾曲形状から平らな形状に弾性変形し、コップ類を持ち上げて該コースターの表面側に加えられるコップ類の重さを取り除けば該コースターは平らな形状から元の湾曲形状に該コースターの自力反発力で瞬時に戻る、弾性力を付与してあるため、コースター上にコップ類を置く際には、コップ類の重さで湾曲形状から平らな形状に弾性変形したコースター上にコップ類を安定して載置でき、敷いたコースターからコップ類を持ち上げる際には、コップ類を持ち上げると同時に、コースターはその自力反発力で平らな形状から元の湾曲形状に瞬時に戻り、持ち上げたコップ類の底部から瞬間的に離脱されるため、持ち上げたコップ類の底部にくっつかず、持ち上げたコップ類と一緒に持ち上がってしまう弊害を解消できる。
【００１９】
しかも、本発明のコースターは、一方向に円弧状に反った湾曲形状であり、該方向と直交する方向は、湾曲されずに、直線形状のコースター表面になっている。よって、コースターに置くコップ類の底部を平らな底面にしたものは勿論のこと、底部に凹みをもつ（すなわち、底部に凸状の周縁部をもつ）コップ類も、全周方向に湾曲させたものとは異なり（全周方向に湾曲させたものは、底部の凸状周縁部が全周に亘ってコースター表面に密接される。）、コップ類の底部が湾曲形状のコースター表面に密接されず、コップ類の底面と湾曲形状のコースター表面とのくっつきを効果的に無くすことができる。
【００２０】
しかも、本発明のコースターは、コースターの底部に吸盤機能を与えた公知のコースターとは異なり、コースターを置くテーブル面の粗さやテーブルクロス等のマット類の素材に関係なく、持ち上げたコップ類の底部にコースターがくっつかない効果を達成できる。
【００２１】
また、本発明のコースターは、コースター上にコップ類を置く際には、コップ類の重さで該コースターは湾曲形状から弾性に抗して平らな形状に弾性変形されるため、コップ類をコースター上に置く際の衝撃をやわらげる緩衝性能に優れている。
【発明を実施するための最良の形態】
【００２２】
本発明を図示した実施形態に基づき説明する。図１〜図４に示した実施形態のコースター１は、同形のコースター平面形状に打ち抜かれた吸水性を有する紙又は不織布製の表面側コースター部材２Ａと裏面側コースター部材２Ｂを接着して構成したものであり、図５〜図７に示した実施形態のコースター１は、コースター平面形状に打ち抜かれた吸水性を有する紙又は不織布製のコースター部材２を一枚で構成したものである。
【００２３】
図１に示した実施形態のコースター１は、前記表面側コースター部材２Ａと裏面側コースター部材２Ｂが少なくとも一方のコースター部材の貼り合せ面に一方向に延びる互いに離間した複数の筋条（帯条でも良い）にして塗工された加熱溶融状態にある接合溶融樹脂材を介して貼り合わされ、前記接合溶融樹脂材が常温冷却で接合樹脂部材３に固形化されることによって貼り合わされた両コースター部材２Ａ，２Ｂを該接合樹脂部材３を介して接着して構成したものである。要するに、このコースター１は、吸水性を有する紙又は不織布製のシート状物から成る表面側コースター原紙と裏面側コースター原紙が少なくとも一方のコースター原紙の貼り合せ面に一方向に延びる互いに離間した複数の筋条（帯条でも良い）にして塗工された加熱溶融状態にある接合溶融樹脂材を介して貼り合わされ、貼り合わされた両コースター原紙がコースター平面形状に打ち抜かれると共に、前記接合溶融樹脂材が常温冷却で固形化されることによってコースター平面形状に打ち抜かれた前記表面側コースター部材２Ａと裏面側コースター部材２Ｂを固形化された前記接合溶融樹脂材から成る接合樹脂部材３を介して接着して構成したものである。
【００２４】
図１に示した実施形態のコースター１の特徴は、このコースター１の全体を前記接合溶融樹脂材が常温冷却で接合樹脂部材３に固形化される過程で該コースターの表面側が突出し裏面側が凹むように前記接合溶融樹脂材の塗工方向と同方向の一方向に円弧状に反った湾曲形状に成形し、よって、図１（Ａ）に示したように、前記表面側コースター部材２Ａと裏面側コースター部材２Ｂが一方向に延びる互いに離間した複数の筋条の固形化された前記接合樹脂部材３を介して接着され、且つこのコースター１の全体を該コースターの表面側が突出し裏面側が凹むように前記接合樹脂部材３の延設方向と同方向の一方向に円弧状に反った湾曲形状に形成したことである。そして、湾曲形状に形成したコースター１に、該コースター１の湾曲形状と実質的に同じ湾曲形状に固形化された前記接合樹脂部材３の弾性によって、該コースター１の表面側にコップ類（Ｇ）を載せればその重さで該コースター１は図１（Ａ）に実線で示した湾曲形状から図１（Ａ）に一点鎖線で示した平らな形状に弾性変形し、コップ類を持ち上げて該コースター１の表面側に加えられるコップ類（Ｇ）の重さを取り除けば該コースター１は図１（Ａ）に一点鎖線で示した平らな形状から図１（Ａ）に実線で示した元の湾曲形状に該コースターの自力反発力で瞬時に戻る、弾性力を付与したことである。尚、図１〜図７における符号Ｆはテーブル面を示している。
【００２５】
図２に示した実施形態のコースター１は、前記表面側コースター部材２Ａと裏面側コースター部材２Ｂが少なくとも一方のコースター板状部材の貼り合せ面に一方向に延びる互いに離間した複数の筋条（帯条でも良い）にして塗工された加熱溶融状態にある接合溶融樹脂材を介して貼り合わされると共に、前記表面側コースター部材２Ａの表面側（貼り合せ面の反対面側）に加熱溶融状態にある補強溶融樹脂材が前記接合溶融樹脂材の塗工方向と同方向に筋条に延びる互いに離間した複数の凸条にして塗工され、これらの溶融樹脂材が常温冷却で固形化されることによって、貼り合わされた両コースター部材２Ａ，２Ｂを前記接合溶融樹脂材が固形化された接合樹脂部材３を介して接着すると共に、前記表面側コースター部材２Ａの表面側に固形化された前記補強溶融樹脂材から成る複数の凸条の補強樹脂部材４を接着したものである。要するに、このコースター１は、吸水性を有する表面側コースター原紙と裏面側コースター原紙が少なくとも一方のコースター原紙の貼り合せ面に塗工された一方向に延びる複数の筋条（帯条でも良い）の加熱溶融状態にある接合溶融樹脂材を介して貼り合わされると共に、前記表面側コースター原紙の表面側（貼り合せ面の反対面）に加熱溶融状態にある補強溶融樹脂材が前記接合溶融樹脂材の塗工方向と同方向に筋条に延びる複数の凸条にして塗工され、貼り合わされた両コースター原紙がコースター平面形状に打ち抜かれると共に、これらの溶融樹脂材が常温冷却で固形化されることによって、コースター平面形状に打ち抜かれた表面側コースター部材２Ａと裏面側コースター部材２Ｂを固形化された前記接合溶融樹脂材から成る接合樹脂部材３を介して接着すると共に、前記表面側コースター部材２Ａの表面側に固形化された前記補強溶融樹脂材から成る複数の凸条の補強樹脂部材４を接着して構成したものである。
【００２６】
図２に示した実施形態のコースター１の特徴は、このコースター１の全体を前記溶融樹脂材が固形化される過程で該コースターの表面側が突出し裏面側が凹むように前記溶融樹脂材の塗工方向と同方向の一方向に円弧状に反った湾曲形状に成形し、よって、図２（Ａ）に示したように、前記表面側コースター部材２Ａと裏面側コースター部材２Ｂが一方向に延びる互いに離間した複数の筋条の固形化された前記接合樹脂部材３を介して接着されると共に、前記表面側コースター部材２Ａの表面側に前記接合樹脂部材３の形成方向と同方向に延びる互いに離間した複数の凸条の固形化された補強樹脂部材４が接着形成され、且つこのコースター１の全体を該コースターの表面側が突出し裏面側が凹むように前記接合樹脂部材３及び補強樹脂部材４の延設方向と同方向の一方向に円弧状に反った湾曲形状に形成したことである。そして、湾曲形状に形成したコースター１に、該コースター１の湾曲形状と実質的に同じ湾曲形状に固形化された前記接合樹脂部材３及び補強樹脂部材４の弾性によって、該コースター１の表面側にコップ類（Ｇ）を載せればその重さで該コースター１は図２（Ａ）に実線で示した湾曲形状から図２（Ａ）に一点鎖線で示した平らな形状に弾性変形し、コップ類を持ち上げて該コースター１の表面側に加えられるコップ類（Ｇ）の重さを取り除けば該コースター１は図２（Ａ）に一点鎖線で示した平らな形状から図２（Ａ）に実線で示した元の湾曲形状に該コースターの自力反発力で瞬時に戻る、弾性力を付与したことである。
【００２７】
図３に示した実施形態のコースター１は、前記表面側コースター部材２Ａと裏面側コースター部材２Ｂが少なくとも一方のコースター部材の貼り合せ面に一方向に延びる互いに離間した複数の筋条（帯状でも良い）にして塗工された加熱溶融状態にある接合溶融樹脂材を介して貼り合わされると共に、前記裏面側コースター部材２Ｂの裏面側（貼り合せ面の反対面側）の全面に加熱溶融状態にある裏面溶融樹脂材が塗工され、これらの溶融樹脂材が常温冷却で固形化されることによって、貼り合わされた両コースター部材２Ａ，２Ｂを前記接合溶融樹脂材が固形化された接合樹脂部材３を介して接着すると共に、前記裏面側コースター部材２Ｂの裏面側の全面に固形化された前記裏面溶融樹脂材から成る裏面樹脂層５を積層接着したものである。要するに、このコースター１は、吸水性を有する表面側コースター原紙と裏面側コースター原紙が少なくとも一方のコースター原紙の貼り合せ面に塗工された一方向に延びる複数の筋条（帯状でも良い）の加熱溶融状態にある接合溶融樹脂材を介して貼り合わされると共に、前記裏面側コースター原紙の裏面の全面に加熱溶融状態にある裏面溶融樹脂材が塗工され、貼り合わされた両コースター原紙がコースター平面形状に打ち抜かれると共に、これらの溶融樹脂材が常温冷却で固形化されることによって、コースター平面形状に打ち抜かれた表面側コースター部材２Ａと裏面側コースター部材２Ｂを固形化された前記接合溶融樹脂材から成る接合樹脂部材３を介して接着すると共に、前記裏面側コースター部材２Ｂの裏面側の全面に固形化された前記裏面溶融樹脂材から成る裏面樹脂層５を接着して構成したものである。
【００２８】
図３に示した実施形態のコースター１の特徴は、このコースター１の全体を前記溶融樹脂材（前記接合溶融樹脂材、前記裏面溶融樹脂材）が固形化される過程で該コースターの表面側が突出し裏面側が凹むように前記接合溶融樹脂材の塗工方向と同方向の一方向に円弧状に反った湾曲形状に成形し、よって、図３（Ａ）に示したように、前記表面側コースター部材２Ａと裏面側コースター部材２Ｂが一方向に延びる互いに離間した複数の筋条の固形化された前記接合樹脂部材３を介して接着されると共に、前記裏面側コースター部材２Ｂの裏面側の全面に固形化された前記裏面樹脂層５が積層接着され、且つこのコースター１の全体を該コースターの表面側が突出し裏面側が凹むように前記接合樹脂部材３の延設方向と同方向の一方向に円弧状に反った湾曲形状に形成したことである。そして、湾曲形状に形成したコースター１に、該コースター１の湾曲形状と実質的に同じ湾曲形状に固形化された前記接合樹脂部材３及び裏面樹脂層５の弾性によって、該コースター１の表面側にコップ類（Ｇ）を載せればその重さで該コースター１は図３（Ａ）に実線で示した湾曲形状から図３（Ａ）に一点鎖線で示した平らな形状に弾性変形し、コップ類を持ち上げて該コースター１の表面側に加えられるコップ類（Ｇ）の重さを取り除けば該コースター１は図３（Ａ）に一点鎖線で示した平らな形状から図３（Ａ）に実線で示した元の湾曲形状に該コースターの自力反発力で瞬時に戻る、弾性力を付与したことである。
【００２９】
図４に示した実施形態のコースター１は、前記表面側コースター部材２Ａと裏面側コースター部材２Ｂが少なくとも一方のコースター板状部材の貼り合せ面に一方向に延びる互いに離間した複数の筋条（帯状でも良い）にして塗工された加熱溶融状態にある接合溶融樹脂材を介して貼り合わされると共に、前記表面側コースター部材２Ａの表面側（貼り合せ面の反対面側）に加熱溶融状態にある補強溶融樹脂材が前記接合溶融樹脂材の塗工方向と同方向に筋条に延びる互いに離間した複数の凸条にして塗工され、前記裏面側コースター部材２Ｂの裏面側（貼り合せ面の反対面側）の全面に加熱溶融状態にある裏面溶融樹脂材が塗工され、これらの溶融樹脂材が常温冷却で固形化されることによって、貼り合わされた両コースター部材２Ａ，２Ｂを前記接合溶融樹脂材が固形化された接合樹脂部材３を介して接着すると共に、前記表面側コースター部材２Ａの表面側に固形化された前記補強溶融樹脂材から成る複数の凸条の補強樹脂部材４を接着し、前記裏面側コースター部材２Ｂの裏面側の全面に固形化された前記裏面溶融樹脂材から成る裏面樹脂層５を積層接着したものである。要するに、このコースター１は、吸水性を有する表面側コースター原紙と裏面側コースター原紙が少なくとも一方のコースター原紙の貼り合せ面に塗工された一方向に延びる複数の筋条（帯状でも良い）の加熱溶融状態にある接合溶融樹脂材を介して貼り合わされると共に、前記表面側コースター原紙の表面側（貼り合せ面の反対面）に加熱溶融状態にある補強溶融樹脂材が前記接合溶融樹脂材の塗工方向と同方向に筋条に延びる複数の凸条にして塗工され、前記裏面側コースター原紙の裏面側（貼り合せ面の反対面）の全面に加熱溶融状態にある裏面溶融樹脂材が塗工され、貼り合わされた両コースター原紙がコースター平面形状に打ち抜かれると共に、これらの溶融樹脂材が常温冷却で固形化されることによって、コースター平面形状に打ち抜かれた表面側コースター部材２Ａと裏面側コースター部材２Ｂを固形化された前記接合溶融樹脂材から成る接合樹脂部材３を介して接着すると共に、前記表面側コースター部材２Ａの表面側に固形化された前記補強溶融樹脂材から成る複数の凸条の補強樹脂部材４を接着し、前記裏面側コースター部材２Ｂの裏面側の全面に固形化された前記裏面溶融樹脂材から成る裏面樹脂層５を接着して構成したものである。
【００３０】
図４に示した実施形態のコースター１の特徴は、このコースター１の全体を前記溶融樹脂材（前記接合溶融樹脂材、前記補強溶融樹脂材、前記裏面溶融樹脂材）が固形化される過程で該コースターの表面側が突出し裏面側が凹むように前記溶融樹脂材の塗工方向と同方向の一方向に円弧状に反った湾曲形状に成形し、よって、図４（Ａ）に示したように、前記表面側コースター部材２Ａと裏面側コースター部材２Ｂが一方向に延びる互いに離間した複数の筋条の固形化された前記接合樹脂部材３を介して接着されると共に、前記表面側コースター部材２Ａの表面側に前記接合樹脂部材３の形成方向と同方向に延びる互いに離間した複数の凸条の固形化された補強樹脂部材４が接着形成され、前記裏面側コースター部材２Ｂの裏面側の全面に固形化された前記裏面樹脂層５が積層接着され、且つこのコースター１の全体を該コースターの表面側が突出し裏面側が凹むように前記接合樹脂部材３及び補強樹脂部材４の延設方向と同方向の一方向に円弧状に反った湾曲形状に形成したことである。そして、湾曲形状に形成したコースター１に、該コースター１の湾曲形状と実質的に同じ湾曲形状に固形化された前記接合樹脂部材３、前記補強樹脂部材４及び前記裏面樹脂層５の弾性によって、該コースター１の表面側にコップ類（Ｇ）を載せればその重さで該コースター１は図４（Ａ）に実線で示した湾曲形状から図４（Ａ）に一点鎖線で示した平らな形状に弾性変形し、コップ類を持ち上げて該コースター１の表面側に加えられるコップ類（Ｇ）の重さを取り除けば該コースター１は図４（Ａ）に一点鎖線で示した平らな形状から図４（Ａ）に実線で示した元の湾曲形状に該コースターの自力反発力で瞬時に戻る、弾性力を付与したことである。
【００３１】
図５に示した実施形態のコースター１は、前記コースター部材２の裏面側の全面に加熱溶融状態にある裏面溶融樹脂材が塗工され、該裏面溶融樹脂材が常温冷却で固形化されることによって、前記コースター部材２の裏面側の全面に固形化された前記裏面溶融樹脂材から成る裏面樹脂層５を積層接着したものである。要するに、このコースター１は、吸水性を有するコースター原紙の裏面側の全面に加熱溶融状態にある裏面溶融樹脂材を塗工し、該コースター原紙がコースター平面形状に打ち抜かれると共に、該裏面溶融樹脂材が常温冷却で固形化されることによって、コースター平面形状に打ち抜かれたコースター部材２の裏面側の全面に固形化された前記裏面溶融樹脂材から成る裏面樹脂層５を接着して構成したものである。図５に示したコースター１の特徴は、このコースター１の全体を前記溶融樹脂材が固形化される過程で該コースターの表面側が突出し裏面側が凹むように一方向に円弧状に反った湾曲形状に成形し、よって、図５（Ａ）に示したように、前記コースター部材２の裏面側の全面に固形化された前記裏面樹脂層５が接着形成され、且つこのコースター１の全体を該コースターの表面側が突出し裏面側が凹むように一方向に円弧状に反った湾曲形状に形成したことである。そして、湾曲形状に形成したコースター１に、該コースター１の湾曲形状と実質的に同じ湾曲形状に固形化された前記裏面樹脂層５の弾性によって、該コースター１の表面側にコップ類（Ｇ）を載せればその重さで該コースター１は図５（Ａ）に実線で示した湾曲形状から図５（Ａ）に一点鎖線で示した平らな形状に弾性変形し、コップ類を持ち上げて該コースター１の表面側に加えられるコップ類（Ｇ）の重さを取り除けば該コースター１は図５（Ａ）に一点鎖線で示した平らな形状から図５（Ａ）に実線で示した元の湾曲形状に該コースターの自力反発力で瞬時に戻る、弾性力を付与したことである。
【００３２】
図６に示した実施形態のコースター１は、前記コースター部材２の表面側に加熱溶融状態にある補強溶融樹脂材が一方向に筋条に延びる互いに離間した複数の凸条にして塗工され、該補強溶融樹脂材が常温冷却で固形化されることによって、前記コースター部材２の表面側に固形化された前記補強溶融樹脂材から成る複数の凸条の補強樹脂部材４を接着したものである。要するに、このコースター１は、吸水性を有するコースター原紙の表面側に加熱溶融状態にある補強溶融樹脂材を一方向に筋条に延びる複数の凸条にして塗工し、該コースター原紙がコースター平面形状に打ち抜かれると共に、該補強溶融樹脂材が常温冷却で固形化されることによって、コースター平面形状に打ち抜かれたコースター部材２の表面側に固形化された前記補強溶融樹脂材から成る複数の凸条の補強樹脂部材４を接着して構成したものである。図６に示したコースター１の特徴は、このコースター１の全体を前記補強溶融樹脂材が固形化される過程で該コースターの表面側が突出し裏面側が凹むように前記補強溶融樹脂材の塗工方向と同方向の一方向に円弧状に反った湾曲形状に成形し、よって、図６（Ａ）に示したように、前記コースター部材２の表面側に互いに離間した複数の凸条の固形化された前記補強樹脂部材４が接着形成され、且つこのコースター１の全体を該コースターの表面側が突出し裏面側が凹むように前記補強樹脂部材４の延設方向と同方向の一方向に円弧状に反った湾曲形状に形成したことである。そして、湾曲形状に形成したコースター１に、該コースター１の湾曲形状と実質的に同じ湾曲形状に固形化された前記補強樹脂部材４の弾性によって、該コースター１の表面側にコップ類（Ｇ）を載せればその重さで該コースター１は図６（Ａ）に実線で示した湾曲形状から図６（Ａ）に一点鎖線で示した平らな形状に弾性変形し、コップ類を持ち上げて該コースター１の表面側に加えられるコップ類（Ｇ）の重さを取り除けば該コースター１は図６（Ａ）に一点鎖線で示した平らな形状から図６（Ａ）に実線で示した元の湾曲形状に該コースターの自力反発力で瞬時に戻る、弾性力を付与したことである。
【００３３】
図７に示した実施形態のコースター１は、前記コースター部材２の表面側に加熱溶融状態にある補強溶融樹脂材が一方向に筋条に延びる互いに離間した複数の凸条にして塗工されると共に、前記コースター部材２の裏面側の全面に加熱溶融状態にある裏面溶融樹脂材が塗工され、これらの溶融樹脂材が常温冷却で固形化されることによって、前記コースター部材２の表面側に固形化された前記補強溶融樹脂材から成る複数の凸条の補強樹脂部材４を接着すると共に、前記コースター部材２の裏面側の全面に固形化された前記裏面溶融樹脂材から成る裏面樹脂層５を積層接着したものである。要するに、このコースター１は、吸水性を有するコースター原紙の表面側に加熱溶融状態にある補強溶融樹脂材を一方向に筋条に延びる複数の凸条にして塗工すると共に、前記コースター原紙の裏面側の全面に加熱溶融状態にある裏面溶融樹脂材を塗工し、該コースター原紙がコースター平面形状に打ち抜かれると共に、これらの溶融樹脂材が常温冷却で固形化されることによって、コースター平面形状に打ち抜かれたコースター部材２の表面側に固形化された前記補強溶融樹脂材から成る複数の凸条の補強樹脂部材４を接着すると共に、前記コースター部材２の裏面側の全面に固形化された前記裏面溶融樹脂材から成る裏面樹脂層５を接着して構成したものである。図７に示したコースター１の特徴は、このコースター１の全体を前記補強溶融樹脂材及び前記裏面溶融樹脂材が固形化される過程で該コースターの表面側が突出し裏面側が凹むように前記補強溶融樹脂材の塗工方向と同方向の一方向に円弧状に反った湾曲形状に成形し、よって、図７（Ａ）に示したように、前記コースター部材２の表面側に互いに離間した複数の凸条の固形化された前記補強樹脂部材４が接着形成されると共に、前記コースター部材２の裏面側の全面に固形化された前記裏面樹脂層５が積層接着され、且つこのコースター１の全体を該コースターの表面側が突出し裏面側が凹むように前記補強樹脂部材４の延設方向と同方向の一方向に円弧状に反った湾曲形状に形成したことである。そして、湾曲形状に形成したコースター１に、該コースター１の湾曲形状と実質的に同じ湾曲形状に固形化された前記補強樹脂部材４及び前記裏面樹脂層５の弾性によって、該コースター１の表面側にコップ類（Ｇ）を載せればその重さで該コースター１は図７（Ａ）に実線で示した湾曲形状から図７（Ａ）に一点鎖線で示した平らな形状に弾性変形し、コップ類を持ち上げて該コースター１の表面側に加えられるコップ類（Ｇ）の重さを取り除けば該コースター１は図７（Ａ）に一点鎖線で示した平らな形状から図７（Ａ）に実線で示した元の湾曲形状に該コースターの自力反発力で瞬時に戻る、弾性力を付与したことである。
【００３４】
したがって、図１〜図７に示した本発明のコースター１によれば、コースター上にコップ類（Ｇ）を置く際には、コップ類の重さで図１〜図７の各（Ａ）に実線で示した湾曲形状から図１〜図７の各（Ａ）に一点鎖線で示した平らな形状に弾性変形したコースター１上にコップ類を安定して載置でき、敷いたコースターからコップ類を持ち上げる際には、コップ類を持ち上げると同時に、コースター１はその自力反発力で図１〜図７の各（Ａ）に一点鎖線で示した平らな形状から図１〜図７の各（Ａ）に実線で示した元の湾曲形状に瞬時に戻り、持ち上げたコップ類の底部から瞬間的に離脱されるため、持ち上げたコップ類の底部にくっつかず、持ち上げたコップ類と一緒に持ち上がってしまう弊害を解消できる。
【００３５】
図１〜図７に示した実施形態のコースター１において、コースター形状に打ち抜かれたコースター１の平面形状は、図示した略四角形状のほか、丸い形状も採用でき、特に限定するものではない。しかし、コースター１の平面形状を、図示した実施形態のように略四角形状（対応する両辺の長さが等しく且つ平行な）にした場合、コースターの対応する平行な両辺部１ａ，１ａと直交する方向（Ｘ−Ｘ線方向）に湾曲させてコースターを円弧状に反った湾曲形状に形成すれば（すなわち、湾曲する方向のコースターの両端に対応する平行な両辺部１ａ，１ａを配置しておけば）、この両辺部１ａ，１ａがテーブル面に確実に接地され、湾曲形状に形成された本発明のコースター１をテーブル面Ｆに置いた際の安定性能が優れている。
【００３６】
そして、図１〜図４に示した実施形態のコースター１においては、コースターの対応する平行な両辺部１ａ，１ａと直交する方向（Ｘ−Ｘ線方向）に延びる筋条の前記接合樹脂部材３を介して両コースター部材２Ａ，２Ｂが接着され、前記接合樹脂部材３の延設方向（Ｘ−Ｘ線方向）と同方向の一方向に円弧状に反った湾曲形状に形成してある。
【００３７】
また、図２、図４、図６及び図７に示した実施形態のコースター１においては、コースターの対応する平行な両辺部１ａ，１ａと直交する方向（Ｘ−Ｘ線方向）に延びる前記補強樹脂部材４の延設方向（Ｘ−Ｘ線方向）と同方向の一方向に円弧状に反った湾曲形状に形成してある。
【００３８】
本発明のコースター１は、図１〜図７に示した全ての実施形態において、一方向（Ｘ−Ｘ線方向）に円弧状に反った湾曲形状に形成し、このＸ−Ｘ線方向（各図のＡの左右方向）と直交するＹ−Ｙ線方向（各図のＡの奥行き方向）は湾曲されずに、Ｙ−Ｙ線方向のコースター表面は直線形状になっている。よって、コースター１に置くコップ類Ｇの底部を平らな底面にしたものは勿論のこと、底部に凹みをもつ（すなわち、底部に凸状の周縁部をもつ）コップ類も、全周方向に湾曲させたものとは異なり（全周方向に湾曲させたものは、底部の凸状周縁部が全周に亘ってコースター表面に密接される。）、コップ類の底部が湾曲形状のコースター表面に密接されず、コップ類の底面と湾曲形状のコースター表面とのくっつきを効果的に無くすことができる。
【００３９】
図１〜図７に示した実施形態のコースター１において、湾曲形成したコースター１の湾曲度は、テーブル面Ｆに接地するコースターの両端部１ａ，１ａの間隔幅を１０ｃｍに設定したとき、表面側が突出し裏面側が凹むように一方向に円弧状に反った湾曲形状のコースター表面の両端部（１ａ，１ａ）とこの両端部間の中心に位置する最も突出した中心頂部の高低差を、好ましくは１ｍｍから１ｃｍ、更に好ましくは２ｍｍから５ｍｍとした円弧状に反った湾曲形状に曲げて形成してある。本発明では、コースターの湾曲度を前記数値に限定するものではない。しかし、コースターの湾曲度を前記数値より小さくしすぎると、持ち上げたコップ類からの離脱効果が小さくなってしまい、反対にコースターの湾曲度を前記数値より大きくしすぎると、コップ底部からの離脱効果は大きくなるが、湾曲形状のコースターに弾性力を与える前記の各溶融樹脂材（前記の各樹脂部材３，４，５）の塗工量を多くしなければならない。よって、湾曲度は、離脱効果や溶融樹脂材（樹脂部材）の塗工量を考慮して決定することになる。
【００４０】
前記接合溶融樹脂材（常温冷却で固形化され前記接合樹脂部材３となる。）、前記補強溶融樹脂材（常温冷却で固形化され前記補強樹脂部材４となる。）、及び前記裏面溶融樹脂材（常温冷却で固形化され前記裏面樹脂層５となる。）としては、常温で固体、加熱溶融して粘着性のり状となり、被接着面に塗工したのち、常温冷却で数秒で固形化されると同時に接着を完了する、ホットメルト接着剤を用いることができる。そして、このホットメルト接着剤として、アクリル樹脂、エチレンと酢酸ビニルやアクリル酸エステルとの共重合物などの熱可塑性樹脂を主材として構成したものを用いることができ、固形化状態で弾性の高いものを用いる。
【００４１】
図１〜図４に示した実施形態のコースター１は、前述したように、吸水性を有する紙又は不織布製の表面側コースター部材２Ａと裏面側コースター部材２Ｂが一方向に延びる互いに離間した複数の筋条の固形化された前記接合樹脂部材３を介して接着されている。前記表面側コースター部材２Ａに吸収された水分は、離間して配置した複数の筋条の前記接合樹脂部材３の間を通過し、前記裏面側コースター部材２Ｂに更に吸収されることになる。よって、コースターの吸水性能を高めることができる。なお、本発明は、表面側コースター部材２Ａと裏面側コースター部材２Ｂが固形化された接合樹脂部材３を介して接着される態様において、図１〜図４に示した実施形態のコースターに限定するものではない。例えば、両コースター部材が少なくとも一方のコースター部材の貼り合せ面に噴霧塗工した加熱溶融状態にある前記接合溶融樹脂材を介して貼り合わされ、両コースター部材が噴霧態様で固形化された前記接合樹脂部材３を介して接着したものを除くものではない。しかし、噴霧態様の場合、無数の液通過部が散点的に残るように噴霧塗工したものであれば、無数の液通過部を通過した水分が裏面側コースター部材２Ｂに更に吸収されることになり、コースターの吸水性能を高めることができる。
【００４２】
図１〜図４に示した実施形態のコースター１において、前記表面側コースター部材２Ａと裏面側コースター部材２Ｂは、吸水性を有する紙又は不織布製のものを用いるが、表面側コースター部材２Ａを比較的薄手のものとし、裏面側コースター部材２Ｂを比較的厚手のものとしたもの、表面側コースター部材２Ａを比較的厚手のものとし、裏面側コースター部材２Ｂを比較的薄手のものとしたもの、表裏のコースター部材２Ａ，２Ｂを同等な厚さの板状部材としたもの、などその組合せは適宜採択できる。しかし、表面側コースター部材２Ａを吸水性を有する薄手のパルプ繊維シート物や不織布製シート物から成る比較的薄いコースター部材とし、裏面側コースター部材２Ｂを吸水性を有する厚手のライナー原紙などの再生紙から成る比較的厚いコースター部材とした場合、省資源効果を高める利点がある。
【００４３】
前記コースター部材２を一枚で構成した図５〜図７に示した実施形態のコースター１は、吸水性を有する紙又は不織布製のコースター部材として比較的厚手のものを用いている。例えば、吸水性を有する厚手のライナー原紙などの再生紙から成る比較的厚いコースター部材とした場合、省資源効果を高める利点がある。
【００４４】
図２及び図４に示した実施形態のコースター１は、図１に示した実施形態のコースターによる作用及び効果に加え、湾曲形状の前記補強樹脂部材４の弾性によって、コースターの弾性力を更に強化できる。しかも、図示したように、凸条の前記補強樹脂部材４をコースター１の表面側に接着形成すれば、コースター表面（前記表面側コースター部材２Ａの表面側）と載置されるコップ類（Ｇ）の底部との間に凸条の前記補強樹脂部材４が介在されることになり、コースター表面からのコップ底部の離脱性能をより高めることができる。この実施形態のコースターは、ビール用のジョッキや水割り用のグラスなど重く且つ水滴の流下量が多い場合に用いるコースターとして好適である。図６及び図７に示した実施形態のコースター１においても、コースター１の表面側に凸条の前記補強樹脂部材４を接着形成してあるため、コースター表面（前記表面側コースター部材２Ａの表面側）と載置されるコップ類（Ｇ）の底部との間に凸条の前記補強樹脂部材４が介在されることになり、コースター表面からのコップ底部の離脱性能をより高めることができる。
【００４５】
図３、図４、図５及び図７に示した実施形態のコースター１は、コースターの裏面に水分透過性のない裏面樹脂層５を積層接着したため、コップ類からコースターに流下された水分をこの裏面樹脂層５で完全に止めることができ、コースターを置いたテーブル面やテーブルマットの水汚れを完全に防げる利点がある。
【図面の簡単な説明】
【００４６】
【図１】本発明の実施形態を示した、Ａは概略正面図、Ｂは平面図である。
【図２】本発明の他の実施形態を示した、Ａは概略正面図、Ｂは平面図である。
【図３】本発明の他の実施形態を示した、Ａは概略正面図、Ｂは平面図である。
【図４】本発明の他の実施形態を示した、Ａは概略正面図、Ｂは平面図である。
【図５】本発明の他の実施形態を示した、Ａは概略正面図、Ｂは平面図である。
【図６】本発明の他の実施形態を示した、Ａは概略正面図、Ｂは平面図である。
【図７】本発明の他の実施形態を示した、Ａは概略正面図、Ｂは平面図である。
【符号の説明】
【００４７】
１  コースター
２Ａ  表面側コースター部材
２Ｂ  裏面側コースター部材
２  コースター部材
３  接合樹脂部材
４  補強樹脂部材
５  裏面樹脂層
【要約】
【課題】            持ち上げたコップ類の底部にくっつかないコースターを提供する。また、緩衝性能に優れたコースターを提供する。
【解決手段】        表面側コースター部材２Ａと裏面側コースター部材２Ｂが接合溶融樹脂材を介して貼り合わされたコースター１において、このコースター１の全体を前記接合溶融樹脂材が常温冷却で接合樹脂部材３に固形化される過程で該コースター１の表面側が突出し裏面側が凹むように一方向に円弧状に反った湾曲形状に成形し、該コースターに、コップ類を載せればその重さで湾曲形状から平らな形状に弾性変形し、コップ類を持ち上げれば平らな形状から元の湾曲形状に自力反発力で戻る、弾性力を付与した。
【選択図】          図１【図１】
0004146510.tif 000002
【図２】
0004146510.tif 000003
【図３】
0004146510.tif 000004
【図４】
0004146510.tif 000005
【図５】
0004146510.tif 000006
【図６】
0004146510.tif 000007
【図７】
0004146510.tif 000008